(57)【要約】【課題】高所での作業の効率を上げ、安全に作業をするために装着する工具落下防止装置用のもつれ防止具の提供を目的とする。【解決手段】少なくとも前記螺旋部を筒状に覆う筒部と、前記筒部の少なくとも一方の端部に形成され、前記金具部に着接するための止着部とを備える、もつれ防止具を提供する。少なくとももつれの主な原因となる螺旋部の大部分を筒部で覆うことによって、もつれを防止する。また、筒部の少なくとも一方の端部に、金具部に止着するための止着部を備えることで、筒部が螺旋部からずれることを防止できる。【選択図】図１
2009297819.tif 000002
【特許請求の範囲】
【請求項１】
高所作業で使用する作業者の転落及び前記作業者が使用する工具の落下を阻止するベルトと、該ベルトに取り付けられた命綱を有する安全帯に取り付け可能かつ伸縮自在な螺旋部と、前記螺旋部の両端にそれぞれ形成される２つの直線部と、一方及び他方の直線部の端部にそれぞれ形成された２つの金具部であって前記ベルト及び前記工具にそれぞれ接続する２つの金具部と、を有する工具落下防止装置の前記螺旋部がもつれないように用いられるもつれ防止具であって、
少なくとも前記螺旋部の一部を筒状に覆う筒部と、
前記筒部の少なくとも一方の端部に形成され、前記金具部に着接するための止着部とを備える、もつれ防止具。
【請求項２】
請求項１に記載のもつれ防止具において、前記筒部は可視性及び可撓性の少なくとも１つを備えた素材を用いることを特徴とする、もつれ防止具。
【請求項３】
請求項１又は２に記載のもつれ防止具において、前記筒部の他方の端部には、前記螺旋部の一部が伸縮自在に通り抜ける開口部を備える、もつれ防止具。
【請求項４】
請求項３に記載のもつれ防止具において、前記開口部には、前記螺旋部を前記筒部の内部に導入する導入部が形成されている、もつれ防止具。
【請求項５】
請求項１から請求項４のいずれかに記載のもつれ防止具を備える、高所作業用の工具落下防止装置。
【発明の詳細な説明】
【技術分野】
【０００１】
本発明は、高所作業で利用する安全帯に取り付け可能な、工具落下防止装置及びそのもつれ防止具に関する。
【背景技術】
【０００２】
従来、作業者は、作業者が高所において作業する場合、高所での作業中に生じる墜落事故から身を守るために、個人用保護具である安全帯を取り付ける。
【０００３】
図３に示すように、作業者が取り付ける安全帯１は、作業者１７の腰に巻きつける帯状のベルト１ａとベルト１ａの一部に一端が容易に取外不能に取り付けられたロープのような命綱（図示せず）とを備えている。安全帯１には、作業性向上のため、ラチェットレンチ４、モンキーレンチ５及びラジオペンチ６などの複数の工具１６、１６及び１６（図１参照）をそれぞれ差し入れる工具差し１４、１４及び１４が装着される。作業者１７は、高所作業中に工具１６が工具差し１４から抜け落ちることを防ぐため、電柱などの高所での作業を行う際には、工具１６、１６及び１６にそれぞれ市販の工具落下防止装置３、３及び３を取り付けて、安全な作業に努めている。
【０００４】
工具落下防止装置３は、作業者１７の利き手側（図示の例では右手側）のベルト１ａに集中して取り付けられている。工具落下防止装置３は、ばね状に形成された伸縮自在な螺旋部１２、螺旋部１２の一端２０に形成される一方の直線部１８、螺旋部１２の他端２１に形成される他方の直線部１９、一方の直線部１８の端部に形成された一方の金具部２２、及び、他方の直線部１９の端部に形成された他方の金具部２３、を備える。一方及び他方の金具部２２及び２３は、それぞれ、ベルト及び前記工具に接続する一方及び他方の金具部９及び９を備える。
【０００５】
作業者１７は、通常、複数の工具１６、１６及び１６を、それぞれ、複数の工具落下防止装置３、３及び３を介して、安全ベルト１に取り付ける。そのため、一方の工具１６を使用する際に、これに応じた工具落下防止装置３の螺旋部１２の一部は、他の工具落下防止装置３の螺旋部１２の一部ともつれることがあり、作業者１７の作業効率を低下させている。さらに、このもつれにより他の工具１６が工具差し１４から落下してしまうなど、作業者１７の不安全行動にも繋がりかねない。特に、図６に示すように、作業者１７は、姿勢を矯正された状態や寝そべった状態など不自然な状態で作業することが強いられることもある。その上、作業者１７の両手にそれぞれ工具１６及び１６を持っての作業も行われうる。そのような体勢の作業者１７は、自分の手元がよく見えないし、工具落下防止装置３の螺旋部１２同士がもつれやすく、非常に作業しづらい。また、工具落下防止装置３の螺旋部１２の一部及び／又は直線部１３の一部が絡まって、工具１６が簡単に工具差し１４から取れないことすらある。
【発明の開示】
【発明が解決しようとする課題】
【０００６】
本発明は、作業者の作業効率を上げ、安全に作業をするために装着する工具落下防止装置用のもつれ防止具の提供を目的とする。
【課題を解決するための手段】
【０００７】
本発明は、以上の目的を達成するために、以下のようなもつれ防止具を提供する。
【０００８】
（１）  高所作業で使用する作業者の転落及び前記作業者が使用する工具の落下を阻止するベルトと、該ベルトに取り付けられた命綱を有する安全帯に取り付け可能かつ伸縮自在な螺旋部と、前記螺旋部の両端にそれぞれ形成される２つの直線部と、一方及び他方の直線部の端部にそれぞれ形成された２つの金具部であって前記ベルト及び前記工具にそれぞれ接続する２つの金具部と、を有する工具落下防止装置の前記螺旋部がもつれないように用いられるもつれ防止具であって、少なくとも前記螺旋部の一部を筒状に覆う筒部と、前記筒部の少なくとも一方の端部に形成され、前記金具部に着接するための止着部とを備える、もつれ防止具。
【０００９】
（１）に記載の発明によれば、少なくとももつれの原因となる螺旋部及び直線部の少なくとも一部を筒部で覆うことによって、もつれを防止する。また、筒部の少なくとも一方の端部に、金具部に止着するための止着部を備えることで、筒部が螺旋部からずれることを防止できる。
【００１０】
（２）  前記筒部は可視性及び可撓性の少なくとも１つを備えた素材を用いることを特徴とする、もつれ防止具。
【００１１】
（２）に記載の発明によれば、筒部を可視性のある材料で構成することにより、工具落下防止装置が劣化やねじれなどで傷んだ部分を視認することができる。又、筒部を可撓性のある素材で構成することにより、工具収納時にも使用時にも対応できる。
【００１２】
（３）  前記筒部の他方の端部には、前記螺旋部の一部が伸縮自在に通り抜ける開口部を備える、もつれ防止具。
【００１３】
（３）に記載の発明によれば、筒部の他方の端部に、螺旋部の一部が伸縮自在に通り抜ける開口部を備えることにより、筒部を螺旋部が自在に通り抜ける。
【００１４】
（４）  前記開口部には、前記螺旋部を前記筒部の内部に導入する導入部が形成されている、もつれ防止具。
【００１５】
（４）に記載の発明によれば、開口部に筒部の内部に導入する導入部が形成されることにより、開口部に螺旋部が絡まることなく通り抜けることが出来る。
【００１６】
（５）  （１）から（４）のいずれかに記載のもつれ防止具を備える、高所作業用の工具落下防止装置。
【００１７】
（５）に記載の発明によれば、これらのもつれ防止具を備える高所作業用の工具落下防止を提供することになり、高所作業をより効率的及び安全にすることが可能となる。
【発明の効果】
【００１８】
本発明によれば、作業者の作業効率を上げ、安全に作業をするために装着する工具落下防止装置用のもつれ防止具を提供することができる。
【発明を実施するための最良の形態】
【００１９】
以下、本発明の実施形態について図面に基づいて説明する。
図１は、もつれ防止具１５を装着した落下防止装置を備える工具１６が安全帯１の工具差し１４に収納された安全帯１の正面図である。図２は、もつれ防止具１５の詳細図である。図３は、もつれ防止具１５を装着した工具落下防止装置３を備える工具１６を収納した安全帯１を装着した作業者の側面図である。図４及び図５は、もつれ防止具１５の使用状態を説明する図である。図６は、もつれ防止具１５を装着した工具落下防止装置３を備える安全帯１を装着した作業者１７の作業を示す側面図である。
【００２０】
図１に示すように、安全帯１は作業者１７の利き手側に３つの工具差し１４、１４及び１４を備えている。工具差し１４、１４及び１４は、それぞれ、ラチェットレンチ４、モンキーレンチ５及びラジオペンチ６（ラチェットレンチ４、モンキーレンチ５及びラジオペンチ６のそれぞれを「工具１６」ともいう。）を収納している。ラチェットレンチ４、モンキーレンチ５及びラジオペンチ６は、それぞれ、工具落下防止装置３、３及び３を有している。なお、工具１６、工具落下防止装置３及びもつれ防止具１５はそれぞれ３つずつ使用されているが、それぞれ２つ以上であればよい。
【００２１】
工具落下防止装置３は、伸縮自在な螺旋部１２と、２つの直線部１３と、２つの金具部９とを備える。一方の直線部１８は螺旋部１２の一端２０に形成されている。他方の直線部１９は螺旋部１２の他端２１に形成されている。一方の金具部２２は一方の直線部１８の端部に形成されている。他方の金具部２３は他方の直線部１９の端部に形成されている。一方の金具部２４がベルトに接続している。他方の金具部２３が工具１６に接続している。工具落下防止装置３の螺旋部１２及び／又は直線部１３が絡んで作業を妨げないように、もつれ防止具１５が取り付けられている。
【００２２】
図２から図４は、もつれ防止装置の構成について示している。
図２に示すように、もつれ防止具１５は、筒部７と、筒部７の一端に形成される止着部８と、筒部７の他端に形成される開口部１０とで構成されている。
【００２３】
筒部７の直径は、市販の工具落下防止装置３に対応可能なように、３ｃｍ程度であることが望ましい。より好適には、筒部７の直径は、２．５ｃｍ〜３ｃｍの範囲内にある。筒部７は円筒形であるが、円筒形である必要は無く、工具落下防止装置３の螺旋部１２の伸縮運動が妨げられることの無い形状であればよい。
【００２４】
筒部７は作業性向上のために、ゴムなどの可撓性の材料によって形成される。筒部７は、作業者１７が工具落下防止装置３（特に、螺旋部１２及び直線部１３）の状態（特に、螺旋部１２及び直線部１３の傷の有無や破損の状態）を常に簡単に視認できるように、可視性の材料によって形成される。これにより、作業者１７は、工具落下防止装置３の螺旋部１２又は直線部１３の一部が切れる前に、工具落下防止装置３を新たな工具落下防止装置に交換することができる。
【００２５】
止着部８は、工具落下防止装置３の金具部９の一端に止着されるように、例えば、面テープで構成される。
【００２６】
開口部１０は、螺旋部１２を筒部７の内部に導入する導入部１１を備える。この導入部１１は、リング状の硬質の部材であることが望ましい。
【００２７】
図３は、もつれ防止具１５を装着した工具落下防止装置３を備える安全帯１を、作業者１７が装着した側面図である。工具差し１４に収納された工具１６は、作業者１７の利き手側に集中している。工具１６は工具落下防止装置３が備えられている。工具落下防止装置３の金具部９が安全帯１に接続されている。このように、工具落下防止装置３は、工具１６の落下を防止している。したがって、工具落下防止装置３には、工具１６に備える工具落下防止装置３の螺旋部１２及び／又は直線部１３のそれぞれが接触し、絡まないように、もつれ防止具１５が備えられている。
【００２８】
図４において、もつれ防止具１５を装着した工具落下防止装置３は収納されている状態である。もつれ防止具１５の筒部７は、収納時、即ち工具１６を使用していない際に、螺旋部１２の大半を覆っている。したがって、もつれ防止具１５が取り付けられた工具落下防止装置３の螺旋部１２や直線部１３が、他の工具落下防止装置３の螺旋部１２及び／又は直線部１３に接近しても、筒部７がこれらの間に配置されることになるので、もつれ防止具１５が取り付けられた工具落下防止装置３の螺旋部１２や直線部１３は、他の工具落下防止装置３の螺旋部１２や直線部１３とは、ほとんどもつれない。
【００２９】
図５において、もつれ防止具１５を装着した工具落下防止装置３は、使用されている状態である。工具１６の使用時には、螺旋部１２が伸び、筒部７から螺旋部１２の一部が通り抜けている。もつれ防止具１５の開口部１０は導入部１１を備えているため、螺旋部１２は自在に伸縮でき、伸びた螺旋部１２が開口部１０にもつれることもない。
【００３０】
なお、図４では、もつれ防止具１５の筒部７は、螺旋部１２及び直線部１３の一部を覆っているが、筒部７が螺旋部１２及び直線部１３の全てを覆ってもよい。
【００３１】
図２において、もつれ防止具１５は、市販の工具落下防止装置３に取り付けることができるため、工具落下防止装置３に合わせて筒部７を切断し、長さを調節することも可能である。また、可撓性の素材で作られるため、工具１６の収納時であっても使用時であっても工具落下防止装置３に合わせて形状を変化させることができる。
【００３２】
図３では、安全帯１を装着した作業者の側面図を示す。安全帯１には工具落下防止装置が複数使用されているが、工具落下防止装置の各々には、もつれ防止具が装着されている。したがって、複数の工具落下防止装置３が集中した状態に置かれていても、工具落下防止装置３がもつれることがなく、スムーズに作業を行うことが出来る。
【００３３】
図６では、実際にもつれ防止具１５をそれぞれ備えた工具落下防止装置３をそれぞれ有する工具１６を使用し、作業する作業者の側面図を示す。特に高所での作業においては、作業者の姿勢は宙に浮いているような状態であったり、又は仰向けでいるような状態であったりするなど不自然な状態である場合が多い。そのため、工具落下防止装置にもつれ防止具を装着することで、高所での作業をより円滑に行うことが出来る。
【００３４】
以上本発明の実施形態を説明したが、本実施形態では、具体例を例示したに過ぎず、本実施形態では、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００３５】
【図１】本発明のもつれ防止具を装着した落下防止装置を備える安全帯１を示す正面図である。
【図２】もつれ防止具１５の本体を示す。
【図３】もつれ防止具１５を装着した落下防止装置を備える安全帯１を作業者が装着した側面図である。
【図４】もつれ防止具１５を装着した工具落下防止装置３の収納時を示す。
【図５】もつれ防止具１５を装着した工具落下防止装置３の使用時を示す。
【図６】もつれ防止具１５を装着した落下防止装置を備える安全帯１を装着した作業者の作業を示す側面図である。
【符号の説明】
【００３６】
１  安全帯
３  工具落下防止装置
４  ラチェットレンチ
５  モンキーレンチ
６  ラジオペンチ
７  筒部
８  止着部
９  金具部
１０  開口部
１１  導入部
１２  螺旋部
１３  直線部
１４  工具差し
１５  もつれ防止具
１６  工具
１７  作業者
１８  一方の直線部
１９  他方の直線部
２０  螺旋部１２の一端
２１  螺旋部１２の他端
２２  一方の金具部
２３  他方の金具部
【図１】
2009297819.tif 000003
【図２】
2009297819.tif 000004
【図３】
2009297819.tif 000005
【図４】
2009297819.tif 000006
【図５】
2009297819.tif 000007
【図６】
2009297819.tif 000008